(57)【要約】【課題】  光が入射する部分に傾斜部を備えた導光体上に複数の光学シートを設ける場合に、照明装置の発光面に輝線が発生することを防止し、その照明装置を用いた電気光学装置及び電子機器の表示面に輝線が発生することを防止する。【解決手段】  光を発生するＬＥＤ６と、ＬＥＤ６からの光を光入射面７ａから受け入れて光出射面７ｂから面状の光として出射する導光体７と、導光体７の光出射面７ｂ上に設けられた複数の光学シート３２，３３ａ，３３ｂとを有する照明装置４である。導光体７は光入射面７ａから光出射面７ｂにかけて断面積が小さくなる傾斜部７ｃを有し、複数の光学シートのうち光出射面７ｂに接触する光学シートである光拡散シート３２は傾斜部７ｃの光出射面７ｂ側の表面７ｃ’まで延びており、光出射面７ｂに接触する光拡散シート３２は、傾斜部７ｃに対応する端辺部分がその端辺部分の近傍部分を追従して持ち上げる剛性を有する。【選択図】図１
2006236641.tif 000002
【特許請求の範囲】
【請求項１】
光を発生する光源と、
該光源からの光を光入射面から受け入れて光出射面から面状の光として出射する導光体と、
該導光体の光出射面上に設けられた複数の光学シートとを有し、
前記導光体は前記光入射面から前記光出射面にかけて断面積が小さくなる傾斜部を有し、
前記複数の光学シートのうち前記光出射面に接触する光学シートは前記傾斜部の光出射面側の表面まで延びており、
前記光出射面に接触する該光学シートは、前記傾斜部に対応する端辺部分が該端辺部分の近傍部分を追従して持ち上げる剛性を有する
ことを特徴とする照明装置。
【請求項２】
請求項１記載の照明装置において、前記光出射面に接触する光学シートは光拡散シートであることを特徴とする照明装置。
【請求項３】
請求項１または請求項２記載の照明装置において、前記複数の光学シートは１つまたは複数のプリズムシートを含むことを特徴とする照明装置。
【請求項４】
請求項１から請求項３のいずれか１つに記載の照明装置において、
前記傾斜部を遮光する遮光部及び前記光出射面から出る光を通過させる開口を備えた遮光シートを有し、
該遮光シートにおける前記遮光部と前記開口部との境界線は、前記光出射面に接触する光学シートが前記傾斜部の傾斜に応じて曲り始める線よりも前記光源から離れた位置にある
ことを特徴とする照明装置。
【請求項５】
電気光学パネルと、
該電気光学パネルへ光を供給する照明装置とを有し、
前記照明装置は、請求項１から請求項４のいずれか１つに記載の照明装置によって構成される
ことを特徴とする電気光学装置。
【請求項６】
第１電気光学パネルと、
第２電気光学パネルと、
前記第１電気光学パネルと前記第２電気光学パネルとの間に設けられそれらの電気光学パネルへ光を供給する照明装置と
を有し、
前記照明装置は、
光を発生する光源と、
該光源からの光を光入射面から受け入れて前記第１電気光学パネルに対向する第１光出射面及び前記第２電気光学パネルに対向する第２出射面の両方から面状の光として出射する導光体と、
該導光体の第１光出射面及び第２光出射面の両方の表面上に設けられた複数の光学シートとを有し、
前記導光体は前記光入射面から前記第１光出射面及び前記第２光出射面にかけて断面積が小さくなる傾斜部を有し、
前記複数の光学シートのうち前記第１光出射面に接触する光学シートは前記傾斜部の前記第１光出射面側の表面まで延びており、
前記複数の光学シートのうち前記第２光出射面に接触する光学シートは前記傾斜部の前記第２光出射面側の表面まで延びており、
前記第１光出射面に接触する光学シート及び前記第２光出射面に接触する光学シートは、前記傾斜部に対応する端辺部分が該端辺部分の近傍部分を追従して持ち上げる剛性を有する
ことを特徴とする電気光学装置。
【請求項７】
請求項５または請求項６記載の電気光学装置を有することを特徴とする電子機器。
【発明の詳細な説明】
【技術分野】
【０００１】
本発明は、光源から出た光を導光体を用いて照明箇所へ伝える照明装置に関する。また、本発明は、その照明装置を用いて構成される電気光学装置に関する。また、本発明は、その電気光学装置を用いて構成される電子機器に関する。
【背景技術】
【０００２】
現在、携帯電話機、携帯情報端末機等といった各種の電子機器では、当該電子機器に関する各種の情報を視覚的に表示するための表示部として、例えば、液晶表示装置等といった電気光学装置が用いられている。
【０００３】
上記の液晶表示装置は電気光学パネルとしての液晶パネルを有し、この液晶パネルは、例えば、それぞれが電極を備えた一対の基板の間に液晶層を介在させた構造を有する。この液晶表示装置では、例えば照明装置等によって液晶層に光を供給すると共に、該液晶層に印加される電圧を表示ドットごとに制御することにより、液晶層内の液晶分子の配向を表示ドットごとに制御する。液晶層へ供給された光は、液晶分子の配向状態に従って表示ドットごとに変調され、この変調された光を偏光層の液晶側表面に供給することにより、その偏光層の観察側表面に文字、数字、図形等といった像が表示される。
【０００４】
上記の液晶パネルに光を供給する照明装置は、一般に、透光性の樹脂によって形成された導光体と、光を供給する光源とを有する。このような照明装置として、導光体の端面を光入射面とし、上記光源からの光をその光入射面で受けて導光体の内部へ導入する、いわゆるサイドライト型が知られている。導光体の内部に入った光は、液晶パネルに対向する光出射面から導光体の外部へ出射され、液晶パネルに供給される。
【０００５】
上記のような照明装置として、従来、光入射面を備えた光入射領域と、光出射面を備えた光出射領域とを有し、光入射領域の厚さが光出射領域の厚さよりも厚くなるようにその光入射領域からその光出射領域にかけて傾斜部が形成された導光体を用いたものが知られている（例えば、特許文献１参照）。また、この装置も含めて多くの照明装置では、導光体の光出射面上に、所定の光学特性を有する複数の光学シートが設けられることが多い。
【０００６】
【特許文献１】特開２００４−１５１５５０号公報（第１１頁、図４）
【発明の開示】
【発明が解決しようとする課題】
【０００７】
ところで、導光体の上に重ねられた複数の光学シートは、一般に、液晶表示装置を組み立てた状態で、液晶パネルと導光体とによって挟まれることにより位置が動かないようになっており、接着剤等を用いた接着は行われない。このため、光学シート間に隙間が生じ、光学シートの光入射面側の側端部からその光学シート間の隙間へ光が入るおそれがあった。このように光学シート間に光が入ると、照明装置の発光面に輝線（すなわち、光の線）が発生するおそれ、従って、液晶表示装置の表示面に輝線が発生するおそれがあった。
【０００８】
本発明は、上記の問題に鑑みて成されたものであって、光が入射する部分に傾斜部を備えた導光体上に複数の光学シートを設ける場合に、発光面に輝線が発生することを防止できる照明装置を提供することを目的とする。また、光が入射する部分に傾斜部を備えた導光体上に複数の光学シートを設ける場合に、表示面に輝線が発生することを防止できる電気光学装置及び電子機器を提供することを目的とする。
【課題を解決するための手段】
【０００９】
本発明に係る照明装置は、光を発生する光源と、該光源からの光を光入射面から受け入れて光出射面から面状の光として出射する導光体と、該導光体の光出射面上に設けられた複数の光学シートとを有し、前記導光体は前記光入射面から前記光出射面にかけて断面積が小さくなる傾斜部を有し、前記複数の光学シートのうち前記光出射面に接触する光学シートは前記傾斜部の光出射面側の表面まで延びており、前記光出射面に接触する該光学シートは、前記傾斜部に対応する端辺部分が該端辺部分の近傍部分を追従して持ち上げる剛性を有することを特徴とする。
【００１０】
上記の照明装置において、傾斜部の光出射面の表面まで延ばして設けられた光学シートの端辺は傾斜部の傾斜に従って持ち上がる。このとき、光出射面に接触する光学シートには、傾斜部で持ち上げられて曲がった部分が、上記の剛性に起因して、真直ぐになろうとする力が働く。こうなると、その光学シートの端辺の近傍部分も追従して持ち上がるので、この光学シート上に設けられた複数の光学シートの端辺が押し上げられる。そして、押し上げられた光学シートの端辺は、照明装置が照明する対象物（例えば、電気光学パネル）のうちの照明装置に対向する部分に押し付けられる。これにより、複数の光学シートの端辺領域においてそれらの光学シート間の隙間がなくなるので、導光体の光入射面側の端部から光学シート間に不要な光が入ることを防止できる。その結果、照明装置の発光面に輝線が発生することを防止できる。
【００１１】
次に、本発明に係る照明装置において、前記光出射面に接触する光学シートは光拡散シートであることが望ましい。光拡散シートは、当該シートを通過する光を拡散させる機能を有した光学シートである。導光体の光出射面に接触する光学シートとして光拡散シートを用いれば、導光体の光出射面から出射された光を拡散させ、均一な面状の光を電気光学パネル等といった被照明体に照射できる。
【００１２】
また、この光拡散シートは、例えば、ポリカーボネートを用いて６０μｍ程度の厚さに形成される。このポリカーボネートは剛性を有した材料であり、従って、ポリカーボネートを用いて形成された光拡散シートは、その上に設けられた光学シートを持ち上げるために必要な剛性を有していると考えられる。このように、光出射面に接触する光学シートとして光拡散シートを用いれば、その上に設けられた光学シートの端辺を確実に押し上げて光学シート間の隙間へ光が進入することを防止できる。
【００１３】
次に、本発明に係る照明装置において、前記複数の光学シートは１つまたは複数のプリズムシートを含むことが望ましい。プリズムシートは、多数のプリズム形状を互いに平行に配列して形成されており、このプリズムシートに入射する光を特定の方向へ集束させるために用いられる光学シートである。複数の光学シートにプリズムシートを含めれば、導光体の光出射面から出射した光を電気光学パネル等といった被照明体の特定個所に集束できるので、その被照明体を効率良く照明できる。
【００１４】
また、このプリズムシートを照明装置に設ける場合には、例えば、２枚のプリズムシートを重ねて設けることがある。この場合には、２枚のプリズムシートの間に隙間が生じ易くなるので、それらのシートの端部から照明に不要な光が入り易くなる。そのため、プリズムシートを２枚重ねて設けた場合には、特に、発光面における輝線が発生し易かった。本発明に係る照明装置では、光出射面に接触する光学シートが傾斜部において持ち上げられることにより、その上に設けられたプリズムシートが持ち上げられるので、２枚のプリズムシートの端辺部に隙間が生じることを防止できる。従って、光学シートとしてプリズムシートを用いた場合であっても、発光面における輝線の発生を確実に防止できる。
【００１５】
次に、本発明に係る照明装置においては、前記傾斜部を遮光する遮光部及び前記光出射面から出る光を通過させる開口を備えた遮光シートを有し、該遮光シートにおける前記遮光部と前記開口部との境界線は、前記光出射面に接触する光学シートが前記傾斜部の傾斜に応じて曲り始める線よりも前記光源から離れた位置にあることが望ましい。
【００１６】
光学シートと導光体とが接触する領域においては、導光体の光出射面から出射した光が複数の光学シートの全てを確実に透過することができる。つまり、この領域から出射される光が照明に好適に利用される光であり、それ以外の領域から出射される光は照明にとって不要な光である。光学シートと導光体とが接触する領域の遮光シートに開口を設ければ、全ての光学シートを透過した光のみを照明光として利用できる。また、開口以外の領域では導光体から出射された光は遮光されるので、照明すべき領域以外に光が漏れることを防止できる。
【００１７】
次に、本発明に係る電気光学装置は、電気光学パネルと、該電気光学パネルへ光を供給する照明装置とを有し、前記照明装置は、以上に説明した照明装置によって構成されることを特徴とする。
【００１８】
上記構成において、「電気光学パネル」は、電気的な条件を制御することにより光学的な出力状態を変化させるパネル構造体である。また、この電気光学パネルは、液晶等といった電気光学物質を含むパネル構造体であって、その電気光学物質の電気光学的な作用を利用して表示を実現するものである。この電気光学パネルは、例えば、ガラス等から成る基板上に電気光学物質を配置したり、一対の基板間に電気光学物質を封入することによって形成される。この電気光学物質として、例えば液晶を用いれば、電気光学パネルとしての液晶パネルが構成される。
【００１９】
上記の電気光学装置に用いる照明装置において、導光体の傾斜部の光出射面の表面まで延ばして設けられた光学シートの端辺は傾斜部の斜面に従って持ち上がる。このとき、光出射面に接触する光学シートには、傾斜部で持ち上げられて曲がった部分が上記の剛性に起因して、真直ぐになろうとする力が働く。こうなると、その光学シートの端辺の近傍部分も追従して持ち上がるので、この光学シート上に設けられた複数の光学シートの端辺が押し上げられる。そして、押し上げられた光学シートの端辺は、電気光学パネルのうちの照明装置に対向する部分に押し付けられる。これにより、複数の光学シートの端辺領域においてそれらの光学シート間に隙間がなくなるので、導光体の光入射面側の端部から光学シート間に不要な光が入ることを防止できる。その結果、照明装置の発光面に輝線が発生することを防止でき、電気光学装置によって行われる表示に輝線が発生することを防止できる。
【００２０】
次に、本発明に係る第２の電気光学装置は、第１電気光学パネルと、第２電気光学パネルと、前記第１電気光学パネルと前記第２電気光学パネルとの間に設けられそれらの電気光学パネルへ光を供給する照明装置とを有し、前記照明装置は、光を発生する光源と、該光源からの光を光入射面から受け入れて前記第１電気光学パネルに対向する第１光出射面及び前記第２電気光学パネルに対向する第２出射面の両方から面状の光として出射する導光体と、該導光体の第１光出射面及び第２光出射面の両方の表面上に設けられた複数の光学シートとを有し、前記導光体は前記光入射面から前記第１光出射面及び前記第２光出射面にかけて断面積が小さくなる傾斜部を有し、前記複数の光学シートのうち前記第１光出射面に接触する光学シートは前記傾斜部の前記第１光出射面側の表面まで延びており、前記複数の光学シートのうち前記第２光出射面に接触する光学シートは前記傾斜部の前記第２光出射面側の表面まで延びており、前記第１光出射面に接触する光学シート及び前記第２光出射面に接触する光学シートは、前記傾斜部に対応する端辺部分が該端辺部分の近傍部分を追従して持ち上げる剛性を有することを特徴とする。
【００２１】
この電気光学装置は、第１電気光学パネルと第２電気光学パネルとによって表裏両面の重なる領域で画像を表示すること、いわゆる両面表示を行うことができる。また、この電気光学装置に用いられる照明装置は、第１光出射面の反対側面に第２光出射面を備え、第１電気光学パネルと第２電気光学パネルの両方に光を供給できる。
【００２２】
上記の電気光学装置に用いる照明装置において、導光体の傾斜部の第１光出射面の表面まで延ばして設けられた光学シートの端辺は、傾斜部において導光体から持ち上がる。このとき、第１光出射面に接触する光学シートには、傾斜部で持ち上げられて曲がった部分が自らの剛性に起因して、真直ぐになろうとする力が働く。こうなると、その光学シートの端辺の近傍部分も追従して持ち上がるので、この光学シート上に設けられた複数の光学シートの端辺が押し上げられる。そして、押し上げられた光学シートの端辺は、第１電気光学パネルのうちの照明装置に対向する部分に押し付けられる。これにより、複数の光学シートの端辺領域においてそれらの光学シート間の隙間がなくなるので、導光体の光入射面側の端部から光学シート間に不要な光が入ることを防止できる。その結果、照明装置の第１光出射面側の発光面に輝線が発生することを防止できる。従って、本発明に係る電気光学装置は、第１電気光学パネルの表示面に輝線が発生することを防止できる。
【００２３】
また、上記の電気光学装置に用いる照明装置において、導光体の傾斜部の第２光出射面の表面まで延ばして設けられた光学シートの端辺は、傾斜部において導光体から持ち上がる。このとき、第２光出射面に接触する光学シートには、傾斜部で持ち上げられて曲がった部分が自らの剛性に起因して、真直ぐになろうとする力が働く。こうなると、その光学シートの端辺の近傍部分も追従して持ち上がるので、この光学シート上に設けられた複数の光学シートの端辺が押し上げられる。そして、押し上げられた光学シートの端辺は、第２電気光学パネルのうちの照明装置に対向する部分に押し付けられる。これにより、複数の光学シートの端辺領域においてそれらの光学シート間の隙間がなくなるので、導光体の光入射面側の端部から光学シート間に不要な光が入ることを防止できる。その結果、照明装置の第１光出射面側の発光面に輝線が発生することを防止できる。従って、本発明に係る電気光学装置は、第２電気光学パネルの表示面に輝線が発生することを防止できる。
【００２４】
次に、本発明に係る電子機器は、以上に記載した構成の電気光学装置を有することを特徴とする。本発明に係る電気光学装置は、発光面に輝線が発生しない照明装置を用いているので、表示面に輝線が発生することのない鮮明な表示を行うことができる。従って、この電気光学装置を用いた本発明に係る電子機器は、その電子機器に関する情報を鮮明に表示できる。
【発明を実施するための最良の形態】
【００２５】
（照明装置及び電気光学装置の第１実施形態）
以下、本発明を電気光学装置に用いられる照明装置に適用した場合を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００２６】
図１は、本発明に係る照明装置及びその照明装置を用いた電気光学装置としての液晶表示装置の一実施形態を分解状態で示している。また、図２は、図１の液晶表示装置を組み立てたときのＢ−Ｂ線に従った断面構造を示している。本実施形態における照明装置４は、例えば、液晶表示装置等といった電気光学装置においてエッジライト型バックライトとして用いられる構造の照明装置である。また、本実施形態における照明装置４は、光源に点状の光源であるＬＥＤ（Light Emitting Diode）を複数個用いた構造の照明装置である。
【００２７】
図１において、液晶表示装置１は、電気光学パネルとしての液晶パネル２と、配線基板としてのＦＰＣ（Flexible Printed Circuit）基板５と、照明装置４と、ケース８を有する。この液晶表示装置１は、矢印Ａが描かれた側が観察側である。
【００２８】
液晶パネル２は、第１基板１１と、それに対向する第２基板１２とを有し、それらの基板を矢印Ａの観察方向から見て正方形又は長方形の枠状のシール材１６によって貼り合わせて形成する。第１基板１１と第２基板１２の間には間隙、いわゆるセルギャップが形成され、その中に電気光学物質としての液晶が封入されて液晶層１７を構成する。
【００２９】
図２に示すように、第１基板１１は、矢印Ａで示す観察方向から見て長方形又は正方形の第１の透光性の基板１３ａを有する。この第１透光性基板１３ａは、例えば、透光性のガラス、透光性のプラスチック等によって形成される。また、この第１透光性基板１３ａの外側表面には、位相差板１４ａ及び偏光板１５ａが、それぞれ貼着等によって装着される。必要に応じて、その他適宜の光学要素を用いても良い。
【００３０】
第１基板１１に対向する第２基板１２は、矢印Ａで示す観察方向から見て長方形又は正方形の第２の透光性の基板１３ｂを有する。この第２透光性基板１３ｂは、例えば、透光性のガラス、透光性のプラスチック等によって形成される。第２透光性基板１３ｂの外側表面には、位相差板１４ｂ及び偏光板１５ｂが、それぞれ貼着等によって装着される。必要に応じて、その他適宜の光学要素を用いても良い。
【００３１】
液晶パネル２は任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率を持つ液晶でなる垂直配向モード、その他任意の液晶を用いることができる。また、採光方式でいえば、透過型、反射型、半透過反射型のいずれであっても良い。なお、本実施形態では、図１に示すように、液晶パネル２の矢印Ａが描かれた側と反対側に照明装置４を設けるので、採光方式としては透過型又は半透過反射型ということになる。
【００３２】
単純マトリクス方式とは、各画素に能動素子を持たず、走査電極とデータ電極との交差部が画素又はドットに対応し、駆動信号が直接に印加されるマトリクス方式である。この方式に対する液晶モードとしては、ＴＮ、ＳＴＮが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００３３】
上記のような液晶パネル２において、カラー表示を行う場合には、第１基板１１又は第２基板１２にカラーフィルタが設けられる。カラーフィルタは、特定の波長域の光を選択的に透過するフィルタである。具体的には、３原色であるＢ（青）、Ｇ（緑）、Ｒ（赤）の１色ずつを第１基板１１又は第２基板１２上の各ドットに対応させて所定の配列、例えばストライプ配列、デルタ配列、モザイク配列で並べる。
【００３４】
図２において、第２基板１２を構成する第２透光性基板１３ｂは、対向基板である第１基板１１の外側へ張り出す張出し部２１を有する。この張出し部２１の第１基板１１側の表面上には、駆動用ＩＣ３が、例えばＡＣＦ（Anisotropic Conductive Film：異方性導電膜）２２を用いたＣＯＧ（Chip On Glass）技術によって実装される。駆動用ＩＣ３は、図１に示すように複数個、本実施形態では３個実装されている。これらの駆動用ＩＣ３は、液晶パネル２の電極に走査信号及びデータ信号を出力して液晶パネル２を駆動する。
【００３５】
図２において、張出し部２１の液晶層側には配線２３が形成される。この配線２３は、複数本が紙面垂直方向に互いに間隔を開けて形成されている。これらの配線２３は駆動用ＩＣ３の出力用端子、例えば出力用バンプに繋がる。また、これらの配線２３は液晶パネル２の内部、すなわち液晶層へ向かって延びており、単純マトリクス方式の場合には走査電極及びデータ電極に接続される。また、アクティブマトリクス方式の場合にはＴＦＤ素子やＴＦＴ素子といった能動素子及び電極に接続される。
【００３６】
この張出し部２１の端部には、外部接続用端子２４が形成される。この外部接続用端子２４は、複数個が紙面垂直方向に互いに間隔を開けて形成されている。これらの外部接続用端子２４は駆動用ＩＣ３の入力用端子、例えば入力用バンプにつながる。また、これらの外部接続用端子２４には、可撓性配線基板であるＦＰＣ基板５が、例えばＡＣＦ２２によって接続される。ＦＰＣ基板５と外部接続用端子２４との接続には、ハンダ付け、ヒートシール等といった導電接続手法を用いることもできる。
【００３７】
上記のＦＰＣ基板５は、例えば、ポリイミドやポリエステル等から成るフィルムを基材として形成される曲げ性に優れた基板である。このＦＰＣ基板５は、図１の矢印Ｃのように曲げられて液晶パネル２に対面する表面Ｓ１とその反対面である表面Ｓ２とを有する。表面Ｓ１は曲げられて縮む面である。一方、表面Ｓ２は曲げられて伸びる面である。また、ＦＰＣ基板５は、入力用端子５ａと、曲げ部５ｂと、出力用端子５ｃとを有する。曲げ部５ｂはＦＰＣ基板５を矢印Ｃのように曲げたときに曲がる部分である。入力用端子５ａには、携帯電話機、携帯情報端末機等といった電子機器内に設けられる制御回路、電源等が接続される。
【００３８】
縮み側表面Ｓ１上には、液晶パネル２を駆動するために必要となる複数の回路部品２５が実装され、さらに、各回路部品２５を接続して回路を構成する複数の配線がパターニングによって形成される。複数の回路部品２５は、曲げ部５ｂに近い所であって、第２基板１２の端辺、すなわち液晶パネル２の端辺と略平行に直線状に並べて配置される。
【００３９】
また、曲げ部５ｂの縮み側表面Ｓ１には、液晶パネル２へ向けて延びる複数の配線２６が設けられる。これらの配線２６は、第２基板１２の端辺、すなわち液晶パネル２の端辺に対して直角方向へ延びている。また、これらの配線２６は、複数の回路部品２５によって形成される電子回路の出力信号を出力用端子５ｃへ伝送するための配線である。出力用端子５ｃへ伝送された信号は、液晶パネル２の外部接続用端子２４を通して駆動用ＩＣ３へ伝送される。
【００４０】
照明装置４は、導光体７と、光源としてのＬＥＤ６と、複数の光学シート３２，３３ａ，３３ｂとを有する。導光体７は液晶パネル２の第２基板１２側に配置されている。この導光体７は、例えば透光性の樹脂によって形成される。この導光体７の側面のうち、液晶表示装置１を組み立てた状態で、張出し部２１に対応する側面７ａが光入射面である。また、矢印Ａが描かれた側の面、すなわち液晶パネル２に対向する面７ｂが光出射面である。また、導光体７は、図２に示すように、光入射面７ａから光出射面７ｂにかけて断面積が小さくなる傾斜部７ｃを有している。また、図１に示すように、光出射面７ｂの両側に位置する導光体７の側面には、複数の突起７ｄが設けられている。本実施形態において、これらの突起７ｄは、片面に２個ずつ、合計４個設けられている。
【００４１】
ＬＥＤ６は、ＦＰＣ基板５の表面Ｓ１上の曲げ部５ｂに近い所であって、第２基板１２の端辺、すなわち液晶パネル２の端辺と略平行に並べて配置される。そして、そのＬＥＤ６の発光面６ａはＦＰＣ基板５の入力用端子５ａの方向に向けられている。本実施形態では、３個のＬＥＤ６が所定の間隔、例えば等間隔に設けられている。ＦＰＣ基板５を矢印Ｃ方向に曲げた状態、すなわち図２に示す状態において、３個のＬＥＤ６はその発光面６ａが導光体７の光入射面７ａに向くように配置される。
【００４２】
光入射面７ａに面して配置したＬＥＤ６から発生した光は、光入射面７ａを通して導光体７の内部へ導入され、導光体７の内部を進行した後、光出射面７ｂから平面状の光として出射する。なお、光源は、ＬＥＤ６以外の点状光源や、冷陰極管等といった線状光源によって構成することもできる。
【００４３】
図１に戻って、矢印Ａ方向から見て導光体７の背面側には必要に応じて光反射層３１が設けられる。また、導光体７の観察側、すなわち光出射面７ｂ側には、必要に応じて複数の光学シートが設けられる。本実施形態では、複数の光学シートとして１枚の光拡散シート３２と、２枚のプリズムシート３３ａ，３３ｂとが設けられている。なお、プリズムシートは１枚であっても良い。また、必要に応じてこれらの光学シート以外の光学シートを用いることもできる。
【００４４】
光拡散シート３２は導光体７の光出射面７ｂ上に接触、具体的には面接触するように設けられる。この光拡散シート３２は、光出射面７ｂから出射した光を拡散させることができる。拡散された光は、光出射面７ｂの全体に拡がる一様な面状の光として照明装置４の外部へ出射される。
【００４５】
プリズムシート３３ａ，３３ｂは、図２に示すように、光拡散シート３２の上に設けられる。これらのプリズムシート３３ａ，３３ｂは入射光を特定の方向へ集束させるために用いられる光学要素であり、例えば、図３に示すような多数のプリズム形状を互いに平行に配列して形成される。本実施形態では、図１に示すように、２枚のプリズムシート３３ａ，３３ｂを重ねて設けている。これらは、図３に示すように、プリズム形状の配列方向が互いに直交するように配置される。これらのプリズムシート３３ａ，３３ｂを用いるのは、液晶パネル２へ向かう光を集束して強度を高めるためである。これらのプリズムシート３３ａ，３３ｂは、それぞれが、例えば頂点までの厚さが６２μｍ程度に形成されている。
【００４６】
図２のように液晶表示装置１を組み立てたときに、上記のＬＥＤ６、導光体７、光反射層３１、光拡散シート３２および２枚のプリズムシート３３ａ，３３ｂによって形成される部分が照明装置４である。この照明装置４によって液晶パネル２へ光が供給される。
【００４７】
上記のプリズムシート３３ａ，３３ｂと液晶パネル２との間には、遮光性の材料によって形成された遮光シート３４が設けられる。この遮光シート３４は、図１に示すように、遮光部３４ａと開口部３４ｂとを備えている。これらの遮光部３４ａと開口部３４ｂの境界線Ｐ０は、図２のように液晶表示装置１を組み立てたときに、光出射面７ｂに接触する光拡散シート３２が傾斜部７ｃの傾斜に応じて曲り始める線Ｐ１よりもＬＥＤ６から離れた位置にある。本実施形態において、導光体７の光入射面７ａから境界線Ｐ０までの距離Ｔ１は、例えば、２．５ｍｍや３ｍｍで良く、これはＬＥＤ６の灯数と各ＬＥＤ６の発光エリアで定められることが望ましい。
【００４８】
遮光シート３４の開口部３４ｂでは、導光体７の光出射面７ｂから出る光がその開口部３４ｂを通過して液晶パネル２の表示領域Ｖの範囲に供給される。一方、遮光部３４ａでは、導光体７から出る光、主に傾斜部７ｃから出る光を遮光して液晶パネル２の表示領域Ｖ以外へ光が漏れることを防止している。また、遮光シート３４は、その両面に粘着性を有している。ここで粘着とは、人手によって容易に剥がすことができる程度の接着の意味である。この遮光シート３４によって、ケース８と照明装置４、およびケース８と液晶パネル２が粘着される。
【００４９】
図４は、図２の矢印Ａ方向から液晶表示装置１を平面的に見た図である。また、図５は、図４のＥ−Ｅ線に沿った断面を示している。図４においては、見やすくするために液晶パネル２の図示を省略している。
【００５０】
図１において、ケース８は、照明装置収容部８ａと、液晶パネル収容部８ｂと、導光体係止部８ｃと、開放部８ｄとを有する。このケース８は、例えば、プラスチック等の樹脂材料を用いて形成できる。照明装置収容部８ａは、図５に示すようにケース８の内側に設けられた空間であり、この空間内に導光体７が収容される。また、液晶パネル収容部８ｂは、ケース８の内側であって照明装置収容部８ａよりも矢印Ａが描かれた観察側に設けられた空間であり、この空間内に液晶パネル２が収容される。
【００５１】
照明装置係止部８ｃは、図４に示すように、照明装置収容部８ａの内側の両側面に設けられている。この係止部８ｃは、複数個、本実施形態では４個設けられている。これらの照明装置係止部８ｃに導光体７の突起７ｄが嵌ることにより、導光体７がケース８に対して動かないように位置決めされる。
【００５２】
図４において、開放部８ｄは、照明装置収容部８ａに導光体７を収容した状態で、光入射面７ａが位置する側の液晶パネル収容部８ｂの一辺に形成されている。この開放部８ｄは、ＦＰＣ基板５の幅と同じかそれ以上の幅に形成される。また、開放部８ｄは、図１に示すように液晶パネル２を液晶パネル収容部８ｂに収容した際に、開放部８ｄの底面８ｄ’がＦＰＣ基板５の表面Ｓ１に接触しない高さに形成される。つまりこの開放部８ｄは、液晶パネル２を液晶パネル収容部８ｂに収容した際、液晶パネル２に接続されたＦＰＣ基板５が真直ぐに外へ延び出るようにするためのものである。
【００５３】
図１の液晶パネル２、駆動用ＩＣ３、ＦＰＣ基板５、そして照明装置４を用いて図２に示す液晶表示装置１を組み立てるに際しては、まず、駆動用ＩＣ３を液晶パネル２の張出し部２１に実装し、図２の位相差板１４ａ，１４ｂ及び偏光板１５ａ，１５ｂを液晶パネル２に装着する。次に、ＦＰＣ基板５を液晶パネル２の張出し部２１の外部接続用端子２４を設けた部分に接続する。
【００５４】
次に、図１の照明装置４をケース８の照明装置収容部８ａに収容する。このとき、照明装置４は、図５に示すように、導光体７に設けられた４個の突起７ｄをケース８の係止部８ｃにそれぞれ嵌め込むことにより、ケース８に対してずれないように位置決めされる。
【００５５】
次に、図１の遮光シート３４を装着する。このとき遮光シート３４は、液晶パネル収容部８ｂの底面８ｅとプリズムシート３３ｂの端部とにわたって設けられていて両者を粘着する。そして次に、図１の液晶パネル２を液晶パネル収容部８ｂに収容する。収容された液晶パネル２は、図５に示すように、遮光シート３４によってケース８に粘着される。こうして、液晶パネル２と照明装置４とは、ケース８によって図２の紙面左右方向および紙面垂直方向の位置を規制され、これにより、常にケース８内の一定位置に位置決めされる。
【００５６】
次に、ＦＰＣ基板５を図１の矢印Ｃのように曲げ、図２において、ＦＰＣ基板５の先端を導光体７に接触させる。そして、粘着部材３５によってＦＰＣ基板５の先端を導光体７に粘着する。こうして、液晶パネル２、照明装置４、ＦＰＣ基板５が所定の位置関係でケース８に収容されて、液晶表示装置１が作製される。
【００５７】
以下、本実施形態で用いられる照明装置４について詳しく説明する。図６は、図２に示す傾斜部７ｃ及びその近傍の断面を拡大して示している。図６において、傾斜部７ｃの光入射面７ａにおける厚さＴ２は、傾斜部７ｃ以外における導光体７と、光拡散シート３２と、２枚のプリズムシート３３ａ，３３ｂの総厚Ｔ３と略等しくなっている。つまり、照明装置４は、プリズムシート３３ｂの外側の面と、傾斜部７ｃ端部で遮光シート３４（図２参照）に接触している。また、光入射面７ａの厚さＴ２は、ＦＰＣ基板５上に実装される回路部品２５の高さＴ４と同じかそれより厚くなっている。これにより、図２のように液晶表示装置１を組み立てた際、回路部品２５が遮光シート３４に干渉すること、すなわち当たることを防止できる。
【００５８】
光出射面７ｂ上に設けられた光拡散シート３２は、傾斜部７ｃの光出射面７ｂ側の表面７ｃ’の上まで延びている。そのため、光拡散シート３２の端辺は傾斜部７ｃにおいて光出射面７ｂから矢印Ｆ方向へ持ち上げられている。
【００５９】
上記の光拡散シート３２は、ある程度の剛性を持ったプラスチック材料、具体的には、傾斜部７ｃに対応する端辺部分がその端辺部分の近傍部分を追従して持ち上げる剛性を持った材料、例えばポリカーボネートによって形成されている。そして、その拡散シート３２の厚みは、例えば６０μｍ程度に設定されている。このように厚さが約６０μｍのポリカーボネートを用いて形成された光拡散シート３２は、その光拡散シート３２上に載せられた他の光学シート、本実施形態では２枚のプリズムシート３３ａ，３３ｂの端辺を持ち上げられる剛性を有していると考えられる。
【００６０】
ところで、ＬＥＤ６の発光面６ａで発光した光は、矢印Ｌ０で示すように、導光体７の光入射面７ａから導光体７の内部に入り、導光体７の内部において反射を繰り返して進行する。その後、光Ｌ０は面状の光となって光出射面７ｂから出射する。しかし、同じくＬＥＤ６の発光面６ａから発光した光には、矢印Ｌ１で示すように、光入射面７ａから導光体７の内部に入った後、傾斜部７ｃの表面７ｃ’から導光体７の外部へ漏れてしまうものがある。このように、傾斜部７ｃから漏れた光Ｌ１は、矢印Ｇで示す部分、すなわちプリズムシート３３ａ，３３ｂの端辺にできた隙間から、それらのプリズムシート３３ａとプリズムシート３３ｂの間に入ってしまうおそれがあった。このようにプリズムシート３３ａとプリズムシート３３ｂの間に光が入ると、照明装置４の発光面に輝線が発生するおそれがあった。
【００６１】
本実施形態における照明装置４では、光出射面７ｂに接触する光拡散シート３２を傾斜部７ｃの光出射面７ｂ側の表面７ｃ’まで延ばして設けた。この光拡散シート３２は、その端辺が傾斜部７ｃにおいて導光体７から矢印Ｆで示す方向に持ち上げられる。このとき、光拡散シート３２は、その端辺の近傍部分も追従して持ち上がる剛性を有しているので、傾斜部７ｃで持ち上げられて曲がった部分が真直ぐになろうとする力が働く。
【００６２】
こうなると、光拡散シート３２上に設けられたプリズムシート３３ａ，３３ｂの端辺が押し上げられる。そして、押し上げられたプリズムシート３３ａ，３３ｂは、図２に示すように、液晶パネル２の、照明装置４に対向する部分に押し付けられる。これにより、プリズムシート３３ａの端辺部分とプリズムシート３３ｂの端辺部分の間の隙間がなくなるので、プリズムシート３３ａ，３３ｂの導光体７の光入射面７ａ側の端部からプリズムシート３３ａとプリズムシート３３ｂの間に不要な光が入ることを防止できる。その結果、照明装置４の発光面に輝線が発生することを防止できる。
【００６３】
また、本実施形態で用いられる光拡散シート３２は、当該シートを通過する光を拡散させる機能を有した光学シートである。光出射面７ｂに接触する光学シートとして光拡散シート３２を用いれば、導光体７の光出射面７ｂから出射された光を拡散させ、均一な面状の光を液晶パネル２に供給できる。
【００６４】
また、本実施形態において、光拡散シート３２は、ポリカーボネートを用いて６０μｍ程度の厚さに形成される。この程度の厚さのポリカーボネートを用いて形成された光拡散シート３２は、その上に設けられたプリズムシート３３ａ，３３ｂの端辺を持ち上げるために必要な剛性を有していると考えられる。このように、光出射面７ｂに接触する光学シートとして光拡散シート３２を用いれば、その上に設けられた光学シートであるプリズムシート３３ａ，および３３ｂをそれらの端辺部分において確実に押し上げることができる。
【００６５】
また、本実施形態では、図３に示すように、２枚のプリズムシート３３ａ，３３ｂを重ねて設けている。この場合には、２枚のプリズムシート３３ａ，３３ｂの間に隙間が生じ易くなるので、それらのシートの端部から不要な光が入り易くなる。そのため、２枚のプリズムシート３３ａ，３３ｂを重ねて設けた場合には、特に、発光面における輝線が発生し易かった。図２の照明装置４では、光出射面７ｂに接触する光拡散シート３２が傾斜部７ｃにおいて持ち上げられることにより、その上に設けられた２枚のプリズムシート３３ａ，３３ｂの端辺部分が持ち上げられるので、プリズムシート３３ａの端辺部分とプリズムシート３３ｂの端辺部分の間に隙間が生じることを防止できる。従って、光学シートとしてプリズムシート３３ａ、３３ｂを用いた場合であっても、発光面における輝線の発生を確実に防止できる。
【００６６】
また、本実施形態では、図１に示すように、プリズムシート３３ａ，３３ｂと液晶パネル２との間に、遮光部３４ａと開口部３４ｂとを備えた遮光シート３４を設けた。複数の光学シートと導光体７とが接触する領域においては、光出射面７ｂから出射した光が複数の光学シートの全てを確実に透過することができる。つまり、この領域から出射される光が照明に好適に利用される光であり、それ以外の領域から出射される光は照明に不要な光である。
【００６７】
遮光シート３４は、図２のように液晶表示装置１を組み立てたときに、遮光部３４ａと開口部３４ｂの境界線Ｐ０が、光出射面７ｂに接触する光拡散シート３２が傾斜部７ｃの傾斜に応じて曲り始める線Ｐ１よりもＬＥＤ６から離れた位置にある。従って、開口部３４ｂを透過する光は全ての光学シート３２，３３ａ，３３ｂを透過した光であり、液晶パネル２の表示領域Ｖは確実に光学シートを通過した後の光によって照明される。また、遮光部３４ａにおいては、導光体７から出射された光は遮光されるので、表示領域Ｖ以外に光が漏れることを防止できる。
【００６８】
（照明装置と電気光学装置の第２実施形態）
図７は、本発明に係る照明装置及び電気光学装置の他の実施形態を示している。また、図８は、図７のＩ−Ｉ線に従った断面を示している。図７に示す照明装置４４が図１に示した先の実施形態である照明装置４と異なる点は、導光体７の光出射面７ｂの反対側の面に第２の光出射面を設けたことである。また、図７に示す液晶表示装置４１が図１に示した先の実施形態である液晶表示装置１と異なる点は、照明装置４を挟んで液晶パネル２の反対側に第２の液晶パネルを設けたことである。つまり、図７に示す本実施形態において、照明装置４４は両面発光方式の照明装置であり、この照明装置４４を用いる液晶表示装置４１は、第１液晶パネル２と第２液晶パネル４２の２つの液晶パネルから成る両面表示型の液晶表示装置である。
【００６９】
以下、図７の液晶表示装置４１及び照明装置４４を、図１の液晶表示装置１と異なる点を中心に説明する。なお、図１の実施形態と同じ要素は同じ符号を付して示すことにして、その説明は省略する。まず、図７において、第１液晶パネル２の構成は図２に示した液晶パネル２と同じとすることができる。
【００７０】
図７において、第２液晶パネル４２は、第１基板５１と第２基板５２とを環状のシール材５６によって貼り合せて形成されており、基本的には第１液晶パネル２と同じ構成となっている。図８に示すように、第２液晶パネル４２の第１基板５１は、矢印Ｈで示す観察方向から見て長方形又は、正方形の第１透光性基板５３ａを有する。また、この第１透光性基板５３ａの外側表面には、位相差板５４ａ及び偏光板５５ａが、ぞれぞれ貼着等によって装着される。
【００７１】
第１基板５１に対向する第２基板５２は、矢印Ｈで示す観察方向から見て長方形又は正方形の第２透光性基板５３ｂを有する。この第２透光性基板５３ｂの外側表面には、位相差板５４ｂ及び偏光板５５ｂが、それぞれ貼着等によって装着される。また、第２基板５２の張出し部６１には駆動用ＩＣ４３が設けられている。
【００７２】
次に、図７において、第１液晶パネル２に接続される第１ＦＰＣ基板５は、図１のＦＰＣ基板５と同じ構成とすることができる。図７に示すように、この第１ＦＰＣ基板５の曲げ部５ｂに近い所であって第１液晶パネル２の端辺には、その端辺と略平行に並べてＬＥＤ６が配置されている。そして、第１ＦＰＣ基板５は、組み立ての際に矢印Ｃの方向へ曲げられて、図８に示すように、ＬＥＤ６の発光面６ａを導光体４７の光入射面４７ａに向ける。
【００７３】
また、第２液晶パネル４２の張出し部６１の端部には、外部接続用端子６４が形成され、その外部接続用端子６４には、第２ＦＰＣ基板４５が、例えばＡＣＦ２２によって接続される。この第２ＦＰＣ基板４５は、曲げ部４５ｂにおいて図７の矢印Ｊ方向に曲げられる。そして、第２ＦＰＣ基板４５の入力用端子４５ａが第１ＦＰＣ基板５に、例えばハンダ等によって接続される。
【００７４】
照明装置４４は、導光体４７と、光源としてのＬＥＤ６と、複数の光学シート３２ａ，３２ｂ，３３ａ，３３ｂ，３３ｃ，３３ｄとを有する。導光体４７は、例えば透光性の樹脂によって形成される。この導光体４７の側面のうち、液晶表示装置４１を組み立てた状態で、第１液晶パネル２の張出し部２１側に対応する側面４７ａが光入射面である。また、矢印Ａが描かれた側の面、すなわち第１液晶パネル２に対向する面４７ｂが第１光出射面である。また、矢印Ｈが描かれた側の面、すなわち第２液晶パネル４２に対向する面４７ｄが第２光出射面である。
【００７５】
上記の導光体４７は、光入射面４７ａから光出射面４７ｂ，４７ｄにかけて断面積が小さくなる傾斜部４７ｃを有している。図２の液晶表示装置１においては、導光体７の傾斜部７ｃは光出射面７ｂ側にのみ傾斜面７ｃ’を有している。本実施形態の液晶表示装置４１では、図８に示すように、第１光出射面４７ｂ側と第２光出射面４７ｄ側の両側に傾斜面を設けている。つまり、傾斜部４７ｃは、第１光出射面４７ｂ側に傾斜面４７ｃ’を有し、第２光出射面４７ｄ側に第２傾斜面４７ｃ’’を有している。
【００７６】
また、図２の液晶表示装置１において、図７の複数の光学シート３２ａ，３３ａ，３３ｂに相当する光学シート３２，３３ａ，３３ｂは導光体７の光出射面７ｂの上に設けられている。本実施形態の液晶表示装置４１では、図７に示すように、導光体４７の第１光出射面４７ｂの上に複数の光学シート３２ａ，３３ａ，３３ｂが設けられ、さらに、第２光出射面４７ｄの上に複数の光学シート３２ｂ，３３ｃ，３３ｄが設けられている。
【００７７】
上記の第１光出射面４７ｂの上に設けた複数の光学シート３２ａ，３３ａ，３３ｂ、および第２光出射面４７ｄ上に設けた複数の光学シート３２ｂ，３３ｃ，３３ｄは、図２の照明装置４の光出射面７ｂの上に設けた光学シートと同じ構成のものを用いることができる。つまり、図７の第１光出射面４７ｂ上には、１枚の光拡散シート３２ａと、２枚のプリズムシート３３ａ，３３ｂとが設けられる。他方、図７の第２光出射面４７ｄ上には、１枚の光拡散シート３２ｂと、２枚のプリズムシート３３ｃ、３３ｄとが設けられる。なお、必要に応じてこれらの光学シート以外の必要な光学シートを設けることもできる。このようにして、照明装置４４は、図２の照明装置４の光出射面７ｂと同じ機能を有した光出射面を、第１光出射面４７ｂ及び第２光出射面４７ｄとして両面に形成している。
【００７８】
図８において、光入射面４７ａに面して配置したＬＥＤ６から発生した光は、光入射面４７ａを通して導光体４７の内部へ導入され、導光体４７の内部を進行する。この光のうちの一部は、第１光出射面４７ｂから平面状の光として出射し、これにより第１液晶パネル２に表示用の光が供給される。また、導光体４７の内部を進行する光の他の一部は、第２光出射面４７ｄから平面状の光として出射し、これにより第２液晶パネル４２に表示用の光が供給される。なお、光源は、ＬＥＤ６以外の点状光源や、冷陰極管等といった線状光源によって構成することもできる。
【００７９】
図７において、プリズムシート３３ａ，３３ｂと第１液晶パネル２の間には、遮光性の材料によって形成された第１遮光シート３４が設けられる。この第１遮光シート３４は、図１に示す遮光シート３４と同じ構造のものである。また、図７において、プリズムシート３３ｃ，３３ｄと第２液晶パネル４２の間にも、同じく遮光性の材料によって形成された第２遮光シート７４が設けられる。第２遮光シート７４は、遮光部７４ａと開口部７４ｂとを備えている。これらの遮光部７４ａと開口部７４ｂの境界線Ｐ２は、図８のように液晶表示装置４１を組み立てたときに、第２光出射面４７ｄに接触する光拡散シート３２ｂが傾斜面４７ｃ’’の傾斜に応じて曲り始める線Ｐ３よりもＬＥＤ６から離れた位置にある。
【００８０】
第２遮光シート７４の開口部７４ｂでは、導光体４７の第２光出射面４７ｄから出る光を通過させ、第２液晶パネル４２の表示領域Ｖ１の範囲に光が供給される。一方、遮光部７４ａでは、導光体４７から出る光、主に傾斜部４７ｃの傾斜面４７ｃ’’から出る光を遮光して第２液晶パネル４２の表示領域Ｖ１以外へ光が漏れることを防止している。また、第２遮光シート７４は、その両面に粘着性を有している。この第２遮光シート７４によって、ケース４８と第２液晶パネル４２が粘着される。
【００８１】
図７において、ケース４８は、照明装置収容部４８ａと、第１液晶パネル収容部４８ｂと、第２液晶パネル収容部４８ｅと、導光体係止部４８ｃと、開放部４８ｄとを有する。このケース４８は、例えば、プラスチック等の樹脂材料を用いて形成できる。このケース４８は、図１に示すケース８において、矢印Ａが描かれている側の反対側に第２液晶パネルを収容する空間を設けたものである。
【００８２】
図８の液晶表示装置４１を組み立てるに際しては、まず、先の実施形態において図２で示したものと同様に、照明装置４４及び第１液晶パネル２を、図７の矢印Ａ方向からケース４８に収容する。次に，第２液晶パネル４２を、図７の矢印Ｈ方向からケース４８に収容する。この際、ケース４８と第２液晶パネル４２とは、第２遮光シート７４によって粘着される。こうして、第１液晶パネル２、照明装置４４、第２液晶パネル４２が所定の位置関係でケース４８に収容されて、液晶表示装置４１が作製される。
【００８３】
図９は、図８に示す傾斜部４７ｃ及びその近傍の断面を拡大して示している。図９において、第１光出射面４７ｂ上に設けられた光拡散シート３２ａは、照明装置４（図６参照）と同じく傾斜部４７ｃの第１光出射面４７ｂ側の表面４７ｃ’上まで延びている。そのため、光拡散シート３２ａの端辺は傾斜部４７ｃにおいて第１光出射面４７ｂから矢印Ｆ方向へ持ち上げられている。このとき、光拡散シート３２ａは、その端辺の近傍部分も追従して持ち上がる剛性を有しているので、傾斜部４７ｃで持ち上げられて曲がった部分が真直ぐになろうとする力が働く。
【００８４】
こうなると、光拡散シート３２ａ上に設けられたプリズムシート３３ａ，３３ｂの端辺が押し上げられる。そして、押し上げられたプリズムシート３３ａ，３３ｂの端辺部分は、図８に示すように、第１液晶パネル２の、照明装置４４に対向する部分に押し付けられる。これにより、プリズムシート３３ａの端辺部分とプリズムシート３３ｂの端辺部分の間に隙間が生じることを防止できる。その結果、プリズムシート３３ａ，３３ｂの導光体４７の光入射面４７ａ側の端部からプリズムシート３３ａとプリズムシート３３ｂの間に不要な光が入ることを防止できる。それ故、照明装置４４の発光面に輝線が発生することを防止できる。従って、液晶表示装置４１において、第１液晶パネル２の表示面に輝線が発生することを防止できる。
【００８５】
他方、第２光出射面４７ｄ上に設けられた光拡散シート３２ｂは、図９に示すように、傾斜部４７ｃの第２光出射面４７ｄ側の表面４７ｃ’’上まで延びている。そのため、光拡散シート３２ｂの端辺は傾斜部４７ｃにおいて第２光出射面４７ｄから矢印Ｋ方向へ持ち上げられる。このとき、光拡散シート３２ｂは、その端辺の近傍部分も追従して持ち上がる剛性を有しているので、傾斜部４７ｃで持ち上げられて曲がった部分が真直ぐになろうとする力が働く。
【００８６】
こうなると、光拡散シート３２ｂ上に設けられたプリズムシート３３ｃ，３３ｄの端辺が押し上げられる。そして、押し上げられたプリズムシート３３ｃ，３３ｄの端辺部分は、図８に示すように、第２液晶パネル４２の、照明装置４４に対向する部分に押し付けられる。これにより、プリズムシート３３ｃの端辺部分とプリズムシート３３ｄの端辺部分の間に隙間が生じることを防止できる。その結果、プリズムシート３３ｃ，３３ｄの導光体４７の光入射面４７ａ側の端部からプリズムシート３３ｃとプリズムシート３３ｄの間に不要な光が入ることを防止できる。それ故、照明装置４４の発光面に輝線が発生することを防止できる。従って、液晶表示装置４１において、第２液晶パネル４２の表示面に輝線が発生することを防止できる。
【００８７】
（電子機器の実施形態）
以下、本発明に係る電子機器を実施形態を挙げて説明する。なお、この実施形態は本発明の一例を示すものであり、本発明はこの実施形態に限定されるものではない。
【００８８】
図１０は、本発明に係る電子機器の一実施形態を示している。ここに示す電子機器は、液晶表示装置８１と、これを制御する制御回路８０とを有する。制御回路８０は、表示情報処理回路８５、電源回路８６、タイミングジェネレータ８７及び表示情報出力源８８によって構成される。そして、液晶表示装置８１は液晶パネル８２、照明装置８４及び駆動回路８３を有する。
【００８９】
表示情報出力源８８は、ＲＡＭ(Random Access Memory)等といったメモリや、各種ディスク等といったストレージユニットや、ディジタル画像信号を同調出力する同調回路等を備え、タイミングジェネレータ８７により生成される各種のクロック信号に基づいて、所定フォーマットの画像信号等といった表示情報を表示情報処理回路８５に供給する。
【００９０】
次に、表示情報処理回路８５は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路８３へ供給する。ここで、駆動回路８３は、走査線駆動回路やデータ線駆動回路と共に、検査回路等を総称したものである。また、電源回路８６は、上記の各構成要素に所定の電源電圧を供給する。
【００９１】
液晶表示装置８１は、例えば、図１に示した液晶表示装置１、または図７に示した液晶表示装置４１を用いて構成できる。液晶表示装置１，４１においては、照明装置４，４４の発光面に輝線が発生しないので、液晶パネル２，４２の表示面において、輝線が発生することがなくなり、鮮明な表示を行うことができる。この結果、この液晶表示装置１，４１を用いた本発明に係る電子機器は、その電子機器に関する情報を鮮明に表示できる。
【００９２】
図１１は、本発明に係る電子機器の他の実施形態である携帯電話機を示している。ここに示す携帯電話機９０は、本体部９１と、これに開閉可能に設けられた表示体部９２とを有する。液晶表示装置等といった電気光学装置によって構成された表示装置９３は、表示体部９２の内部に配置され、電話通信に関する各種表示は、表示体部９２において表示画面９４によって視認できる。本体部９１には操作ボタン９５が配列されている。
【００９３】
表示体部９２の一端部にはアンテナ９６が伸縮自在に取付けられている。表示体部９２の上部に設けられた受話部９７の内部には、図示しないスピーカが配置される。また、本体部９１の下端部に設けられた送話部９８の内部には図示しないマイクが内蔵されている。表示装置９３の動作を制御するための制御部は、携帯電話機の全体の制御を司る制御部の一部として、又はその制御部とは別に、本体部９１又は表示体部９２の内部に格納される。
【００９４】
表示装置９３は、例えば、図１に示した液晶表示装置１、または図７に示した液晶表示装置４１を用いて構成できる。液晶表示装置１，４１においては、照明装置４，４４の発光面に輝線が発生しないので、液晶パネル２，４２の表示面において、輝線が発生することがなくなり、鮮明な表示を行うことができる。この結果、この液晶表示装置１，４１を用いた本発明に係る携帯電話機９０は、その携帯電話機９０に関する情報を鮮明に表示できる。
【００９５】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【００９６】
【図１】本発明に係る電気光学装置の一実施形態を分解状態で示す斜視図である。
【図２】図１のＢ−Ｂ線に従った断面図である。
【図３】光学シートの一例を示す斜視図である。
【図４】図２の矢印Ａに従った液晶表示装置の平面図である。
【図５】図４のＥ−Ｅ線に従った断面図である。
【図６】図２の要部を拡大して示す断面図である。
【図７】本発明に係る電気光学装置の他の実施形態を分解状態で示す斜視図である。
【図８】図７のＩ−Ｉ線に従った断面図である。
【図９】図８の要部を拡大して示す断面図である。
【図１０】本発明に係る電子機器の一実施形態を示すブロック図である。
【図１１】本発明に係る電子機器の他の実施形態を示すブロック図である。
【符号の説明】
【００９７】
１，４１．液晶表示装置（電気光学装置）、  
２．液晶パネル（電気光学パネル）、  ３，４３．駆動用ＩＣ、  
４，４４．照明装置、  ５．ＦＰＣ基板、  ６．ＬＥＤ（光源）、
６ａ．発光面、  ７，４７．導光体、  ７ａ，４７ａ．光入射面、  
７ｂ，４７ｂ．光出射面、  ７ｃ，４７ｃ．傾斜部、  ８，４８．ケース、  
１１，５１．第１基板、  １２，５２．第２基板、  
１３ａ，５３ａ．第１透光性基板、  １３ｂ，５３ｂ．第２透光性基板、  
１４ａ，１４ｂ，５４ａ，５４ｂ．位相差板、  
１５ａ，１５ｂ，５５ａ，５５ｂ．偏光板、  １６，５６．シール材、  １７．液晶層、
２１，６１．張出し部、  ２２．ＡＣＦ、  ２３．配線、  
２４，６４．外部接続用端子、  ２５．回路部品、  ２６．配線  ３１．光反射層、
３２，３２ａ，３２ｂ．光拡散シート（光学シート）、  
３３，３３ａ，３３ｂ，３３ｃ，３３ｄ．プリズムシート（光学シート）、  
３４，３４ａ，３４ｂ．遮光シート、  ４２．第２液晶パネル（電気光学パネル）、
４５．第２ＦＰＣ基板、  ８０．制御回路、  ８１．液晶表示装置、
８２．液晶パネル、  ８３．駆動回路、  ８４．照明装置、
９０．携帯電話機（電子機器）、  ９１．本体部、  ９２．表示体部、  
９３．表示装置、  ９４．表示画面、
【図１】
2006236641.tif 000003
【図２】
2006236641.tif 000004
【図３】
2006236641.tif 000005
【図４】
2006236641.tif 000006
【図５】
2006236641.tif 000007
【図６】
2006236641.tif 000008
【図７】
2006236641.tif 000009
【図８】
2006236641.tif 000010
【図９】
2006236641.tif 000011
【図１０】
2006236641.tif 000012
【図１１】
2006236641.tif 000013